(57)【要約】【課題】腰ベルトへの着脱操作性に優れると共に、耐久性にも優れた工具ホルダーを提供すること。【解決手段】前記ベルト取付部２は、金属製枠部材５を折曲して腰ベルト１の上縁に掛止可能な掛枠部６と、腰ベルト１を挟んで腰ベルト１の外側に配する外枠部７及び内側に配する内枠部８とを有する構成とし、外枠部７と内枠部８の間にベルト収容間隙９を設けると共に、外枠部７と内枠部８の下端間にベルト挿入口10を設け、外枠部７に工具支持部４を設け、内枠部８の下側を、対向する外枠部７に向けて折曲突出すると共に、この折曲突出部11の折曲先端が外枠部７若しくは内枠部８との間にベルト逃し間隙12を有する形状に形成して、この折曲突出部11をベルト戻り止め部11とする。【選択図】図１
2016140941.tif 000002
【特許請求の範囲】
【請求項１】
作業者が装着する腰ベルトに取付可能なベルト取付部に、工具を着脱自在に支持可能な工具支持部を設けた工具ホルダーにおいて、前記ベルト取付部は、金属製線材からなる枠部材の途中部を折り返し折曲して、この折り返し枠の上部折り返し部分を前記腰ベルトの上縁に上方から掛止可能な掛枠部とすると共に、この折り返し枠の下部対向部分を、腰ベルトを挟んで腰ベルトの外側と内側に配する外枠部及び内枠部とし、この外枠部と内枠部は、腰ベルトの厚み幅よりやや大きい対向幅を有する構成として、この外枠部と内枠部の間に腰ベルトを収容可能なベルト収容間隙を設けると共に、この外枠部の下端と内枠部の下端の間に、腰ベルトを挿入する入口となるベルト挿入口を設け、このベルト取付部の前記外枠部に前記工具支持部を設け、このベルト取付部の前記内枠部若しくは前記外枠部の下側を、対向する外枠部若しくは内枠部に向けて折曲突出すると共に、この折曲突出部は、外枠部若しくは内枠部との間にベルト逃し間隙を有する形状に形成して、この折曲突出部をベルト戻り止め部とし、前記ベルト挿入口に挿入した腰ベルトを、このベルト戻り止め部を逃げるように撓ませつつベルト逃し間隙から前記ベルト収容間隙に収容してこの腰ベルト上縁に前記掛枠部を掛止すると、腰ベルトが前記ベルト挿入口から挿脱する方向へ戻り移動した際に、前記ベルト戻り止め部が腰ベルトの下縁に下方から当接して腰ベルトが戻り止めされるように構成したことを特徴とする工具ホルダー。
【請求項２】
前記内枠部若しくは前記外枠部の下側を、対向する外枠部若しくは内枠部に向けて斜め上方へ折曲突出して、この傾斜折曲突出部を前記ベルト戻り止め部とすると共に、このベルト戻り止め部は、その突出先端が前記外枠部と前記内枠部の間に配設する形状に形成したことを特徴とする請求項１記載の工具ホルダー。
【請求項３】
前記ベルト取付部は、非可撓性の金属製線材からなる前記枠部材を折曲して構成したことを特徴とする請求項１，２のいずれか１項に記載の工具ホルダー。
【発明の詳細な説明】
【技術分野】
【０００１】
本発明は、工具を携帯するために作業者が腰ベルトに取付けて使用する工具ホルダーに関するものである。
【背景技術】
【０００２】
従来、作業者が装着した腰ベルトに取付可能な工具ホルダーとしては、特開２００６−７３８８号（特許文献１）に開示されたものがある。
【０００３】
この特許文献１について説明すると、腰ベルトに取付可能なベルト取付部に、工具を着脱自在に支持可能な工具支持部が設けられたもので、さらに具体的には、前記ベルト取付部は、可撓性を有する金属製線材からなる枠部材の途中部が折り返し折曲されて、その折り返し枠の上部折り返し部分が腰ベルトの上縁に上方から掛止可能な掛枠部とされると共に、この折り返し枠の下部対向部分が、腰ベルトを挟んで腰ベルトの外側と内側に配される外枠部及び内枠部とされ、この外枠部の下部に前記工具支持部が設けられたものとなっている。
【０００４】
また、ベルト取付部は、前記内枠部の下端が、対向する前記外枠部に向けて側面視でＪ字状に折曲突出されて、この折曲突出部が内枠部と外枠部の間に配した腰ベルトの下縁に下方から係止する戻り止め部とされると共に、この戻り止め部の折曲先端が常に対向する外枠部を越えて外枠部より外方へ突出するように前記枠部材が折曲形成されている。
【０００５】
そして、この可撓性を有するベルト取付部の内枠部を外方（外枠部に対し離反する方向）へ撓み変形させて外枠部との間に隙間を生じさせ、この隙間に腰ベルトを挿入して前記掛枠部を腰ベルト上縁に掛止めることにより腰ベルトに取付け（吊下げ）できるように構成されたもので、この取付状態にあっては、何らかの要因で腰ベルトに対しベルト取付部が上動しても、前記戻り止め部が腰ベルトの下縁に係止し、腰ベルトがベルト取付部から外れる方向へ戻り移動しようとすることが阻止されて工具ホルダーの不意の脱落が防止されるものとなっている。
【先行技術文献】
【特許文献】
【０００６】
【特許文献１】特開２００６−７３８８号公報
【発明の概要】
【発明が解決しようとする課題】
【０００７】
上記特許文献１は、腰ベルトに取付けてしまえば前記戻り止め部によって腰ベルトからの脱落が防止されるために非常に実用性が高いが、腰ベルトに対する着脱操作が、一々手動で内枠部を撓み変形させなければならないため煩わしく、また、着脱の都度撓み変形を伴うため、いずれはベルト取付部（枠部材）に金属疲労を生じて耐久性が損なわれてしまう懸念があった。
【０００８】
本発明は、上記のような特許文献１の問題点を見い出し、これを解決するために改良したもので、腰ベルトからの脱落防止性能はそのままに、腰ベルトへの着脱操作性に優れると共に、耐久性にも優れた工具ホルダーを提供するものである。
【課題を解決するための手段】
【０００９】
添付図面を参照して本発明の要旨を説明する。
【００１０】
作業者Ｓが装着する腰ベルト１に取付可能なベルト取付部２に、工具３を着脱自在に支持可能な工具支持部４を設けた工具ホルダーＡにおいて、前記ベルト取付部２は、金属製線材からなる枠部材５の途中部を折り返し折曲して、この折り返し枠の上部折り返し部分を前記腰ベルト１の上縁に上方から掛止可能な掛枠部６とすると共に、この折り返し枠の下部対向部分を、腰ベルト１を挟んで腰ベルト１の外側と内側に配する外枠部７及び内枠部８とし、この外枠部７と内枠部８は、腰ベルト１の厚み幅よりやや大きい対向幅を有する構成として、この外枠部７と内枠部８の間に腰ベルト１を収容可能なベルト収容間隙９を設けると共に、この外枠部７の下端と内枠部８の下端の間に、腰ベルト１を挿入する入口となるベルト挿入口10を設け、このベルト取付部２の前記外枠部７に前記工具支持部４を設け、このベルト取付部２の前記内枠部８若しくは前記外枠部７の下側を、対向する外枠部７若しくは内枠部８に向けて折曲突出すると共に、この折曲突出部11は、外枠部７若しくは内枠部８との間にベルト逃し間隙12を有する形状に形成して、この折曲突出部11をベルト戻り止め部11とし、前記ベルト挿入口10に挿入した腰ベルト１を、このベルト戻り止め部11を逃げるように撓ませつつベルト逃し間隙12から前記ベルト収容間隙９に収容してこの腰ベルト１上縁に前記掛枠部６を掛止すると、腰ベルト１が前記ベルト挿入口10から挿脱する方向へ戻り移動した際に、前記ベルト戻り止め部11が腰ベルト１の下縁に下方から当接して腰ベルト１が戻り止めされるように構成したことを特徴とする工具ホルダーに係るものである。
【００１１】
また、前記内枠部８若しくは前記外枠部７の下側を、対向する外枠部７若しくは内枠部８に向けて斜め上方へ折曲突出して、この傾斜折曲突出部11を前記ベルト戻り止め部11とすると共に、このベルト戻り止め部11は、その突出先端が前記外枠部７と前記内枠部８の間に配設する形状に形成したことを特徴とする請求項１記載の工具ホルダーに係るものである。
【００１２】
また、前記ベルト取付部２は、非可撓性の金属製線材からなる前記枠部材５を折曲して構成したことを特徴とする請求項１，２のいずれか１項に記載の工具ホルダーに係るものである。
【発明の効果】
【００１３】
本発明は上述のように構成したから、上記特許文献１と同様に、腰ベルトがベルト挿入口から挿脱する方向へ戻り移動してもベルト戻り止め部が腰ベルトの下縁に当接して戻り止めされるので、工具ホルダーの腰ベルトからの不意の脱落を防止でき、しかも本発明は、ベルト取付部を腰ベルトに取付ける際（ベルト取付部にベルト挿入口から腰ベルトを挿入する際）に、このベルト取付部を撓み変形させる必要がないので、上記特許文献１に比して腰ベルトへの取付け・取外し作業をスムーズ且つスピーディーに行うことができ、また、ベルト取付部を構成する枠部材（金属製線材）に金属疲労を生じにくく高い耐久性を発揮でき、例えば耐久性に優れた非可撓性の金属製線材からなる枠部材を採用することも可能で高耐久性の工具ホルダーを簡易に設計実現可能となるなど、極めて実用性に優れた工具ホルダーとなる。
【００１４】
また、請求項２記載の発明においては、ベルト戻り止め部が対向する外枠部若しくは内枠部に向かって斜め上方へ折曲突出しているために、ベルト収容間隙で腰ベルトが変位してもこのベルト戻り止め部が腰ベルトの下縁に良好に当接でき、このベルト戻り止め部に対し腰ベルトが逃げ移動しにくく確固なベルト戻り止め作用を発揮でき、しかもこのベルト戻り止め部は、その突出先端が外枠部と内枠部の間に配設する形状に形成したため、腰ベルトへの取付け・取外しに際して腰ベルトに大きな変形を生じにくく、この着脱作業が容易に行われるなど、一層実用性に優れた構成の工具ホルダーとなる。
【００１５】
また、請求項３記載の発明においては、高耐久性を発揮する一層実用性に優れた構成の工具ホルダーとなる。
【図面の簡単な説明】
【００１６】
【図１】本実施例の使用状態を示す斜視図である。
【図２】本実施例を示す説明側断面図である。
【図３】本実施例の腰ベルトへの取付途中の状態を示す説明側面図である。
【図４】本実施例の使用状態を示す側面図である。
【図５】本実施例の使用状態を示す正面図である。
【図６】本実施例の使用状態を示す平面図である。
【図７】本実施例の使用状態において、腰ベルトに対し工具ホルダー（ベルト取付部）が上動した状態を示す説明である。
【発明を実施するための形態】
【００１７】
好適と考える本発明の実施形態を、図面に基づいて本発明の作用を示して簡単に説明する。
【００１８】
作業者Ｓが装着している腰ベルト１にベルト取付部２を掛止すると、この腰ベルト１に本発明の工具ホルダーＡが取付けられる。
【００１９】
具体的には、本発明の工具ホルダーＡのベルト取付部２は、その下部に腰ベルト１を挟んで腰ベルト１の外側に配する外枠部７と内側に配する内枠部８とを腰ベルト１の厚み幅よりやや大きい対向幅を有して対向状態に設け、さらにこの外枠部７と内枠部８の間に腰ベルト１を収容可能なベルト収容間隙９を設けると共に、この外枠部７と内枠部８の夫々の下端間にも、腰ベルト１を挿入する入口となるベルト挿入口10を設けている。
【００２０】
このベルト取付部２のベルト挿入口10から腰ベルト１をベルト収容間隙９へ挿入して、腰ベルト１の上縁にベルト取付部２上部の掛枠部６を掛止すると、腰ベルト１にベルト取付部２（工具ホルダーＡ）が取付けられるが、この際、上記特許文献１のように、ベルト取付部２を構成する枠部材５を撓み変形させなくとも良いので、造作なくベルト挿入口10を介して腰ベルト１をベルト収容間隙９へと挿入できる。
【００２１】
また、このベルト取付部２には、前記内枠部８若しくは前記外枠部７の下側を、対向する外枠部７若しくは内枠部８に向けて折曲突出したベルト戻り止め部11（折曲突出部11）を設けると共に、このベルト戻り止め部11は、外枠部７若しくは内枠部８との間にベルト逃し間隙12を有する形状に形成しているので、前記ベルト挿入口10に挿入した腰ベルト１は、このベルト戻り止め部11を逃げるように撓ませつつ前記ベルト逃し間隙12から前記ベルト収容間隙９へと収容する。
【００２２】
このようにして腰ベルト１に取付けられた工具ホルダーＡの工具支持部４に、適宜な工具３を支持して携帯できる。
【００２３】
また、腰ベルト１に取付けられたこの工具ホルダーＡは、例えば何らかの要因により腰ベルト１に対し上動すると、腰ベルト１が前記ベルト挿入口10から挿脱しようとする方向へ移動（腰ベルト１がベルト取付部２外へ外れようとする方向へ戻り移動）することになるが、この際、前記ベルト戻り止め部11が腰ベルト１の下縁に下方から当接してベルト取付部２の上動が阻止（腰ベルト１が戻り止め）されるので、工具ホルダーＡが不意に腰ベルト１から脱落することはない。
【００２４】
工具ホルダーＡを腰ベルト１から取り外す時は、腰ベルト１のベルト収容間隙９に収容されている部分を、ベルト戻り止め部11を逃げるように撓ませつつベルト逃し間隙12からベルト挿入口10へと移動させてベルト取付部２外へ挿脱させる。
【００２５】
また、本発明の工具ホルダーＡは、使用にあたってベルト取付部２を撓み変形させる必要がないので、ベルト取付部２を構成する枠部材５（金属製線材）に金属疲労を生じにくく高い耐久性を発揮でき、例えば、耐久性に優れた非可撓性の金属製線材からなる枠部材５を採用することも可能であるので、高耐久性の工具ホルダーＡを簡易に設計実現可能となる。
【実施例】
【００２６】
本発明の具体的な実施例について図面に基づいて説明する。
【００２７】
本実施例は、作業者Ｓが装着する腰ベルト１に取付可能なベルト取付部２に、工具３を着脱自在に支持可能な工具支持部４を設けた工具ホルダーＡに係るものである。
【００２８】
具体的には、前記ベルト取付部２は、非可撓性の金属製線材からなる長方形枠状の枠部材５を用いて構成するもので、図１，図２に示すように、この枠部材５の一対の長手方向枠の途中部（図面は長手方向枠の中間位置）を側面視で逆Ｕ字状に折り返し折曲し、その折り返し枠の折り返し形状部分を上部として、この上部折り返し部分を前記腰ベルト１の上縁に上方から掛止可能な掛枠部６とし、この折り返し枠の下部対向部分を、腰ベルト１を挟んで腰ベルト１の外側と内側に配する外枠部７及び内枠部８としている。即ち、ベルト取付部２は、上部左右に折り返し形状の掛枠部６を有し、下部前後に同一横幅の外枠部７と内枠部８とが対向配設する折り返し形状に前記枠部材５を形成して構成している。
【００２９】
また、このベルト取付部２は、図２〜図４に示すように、前記外枠部７と前記内枠部８とが、腰ベルト１の厚み幅よりやや大きい対向幅を有して対設する構成として、この外枠部７と内枠部８の間に腰ベルト１を収容可能なベルト収容間隙９を設けると共に、この外枠部７と内枠部８の夫々の下端間に、腰ベルト１を挿入する入口となるベルト挿入口10を設けている。
【００３０】
また、このベルト取付部２は、外枠部７と内枠部８の対向幅が、下端側へいくほど徐々に幅広くなる形状に前記枠部材５を折り返し形成し、これによりベルト挿入口10がベルト収容間隙９より広く開口して、この広幅なベルト挿入口10から腰ベルト１を挿入し易くしている。
【００３１】
また、本実施例では、このベルト取付部２の前記内枠部８の下側を、対向する外枠部７に向けて折曲突出して、この折曲突出部11を前記ベルト収容間隙９に収容された前記腰ベルト１の下縁に下方から当接係止可能なベルト戻り止め部11としている。
【００３２】
具体的には、図１，図５，図６に示すように、内枠部８の下端の横枠部（枠部材５の短手方向枠）をこの横枠部の幅より小さめな逆Ｕ字状に折曲突出すると共に、この折曲突出部11を側面視で対向する外枠部７に向けて斜め上方へ折曲することにより、正面視で逆Ｕ字状を呈し且つ外枠部７の左右縦枠部と下端横枠部の間にベルト逃し間隙12を有する形状に形成している。
【００３３】
また、この折曲突出部11は、その突出先端が側面視で対向する前記外枠部７を越えて外方へ突出しない形状、即ち折曲突出部11（ベルト戻り止め部11）の突出先端が、側面視で外枠部７と内枠部８の間に配設する形状に形成（突出度）している。さらに詳しくは、図２〜図４に示すように、ベルト戻り止め部11の突出先端が、側面視で外枠部７に位置が重なりつつ外枠部７の前側縁部と後側縁部との略中間位置に配設する形状に形成している。
【００３４】
即ち、前記ベルト挿入口10から挿入した腰ベルト１は、その内側面が前記ベルト戻り止め部11に接しながらこのベルト戻り止め部11を逃げるように撓ませつつベルト逃し間隙12を介して前記ベルト収容間隙９へと移動し収容可能な構成としている。
【００３５】
また、このベルト戻り止め部11は、その突出先端が前記掛枠部６との間に前記腰ベルト１の幅寸法（腰ベルト１の長さ方向と直交する方向の幅寸法）よりやや大きい間隔を有する形状に設定構成して、腰ベルト１をベルト収容間隙９に奥まで収容すると、腰ベルト１の下縁付近がベルト戻り止め部11に引っ掛かったままになるようなことなく、ベルト戻り止め部11を確実に乗り越えベルト収容間隙９へと達して、このベルト収容間隙９に収容された腰ベルト１の下方にベルト戻り止め部11が配設することになる構成としている。
【００３６】
尚、このベルト戻り止め部11は、外枠部７に設けて（外枠部７から内枠部８に向けて突設して）も良い。
【００３７】
また、本実施例では、このベルト取付部２の外枠部７に、前記工具支持部４を設けている。
【００３８】
この工具支持部４について具体的に説明すると、図１，図２，図６に示すように、非可撓性の金属製線材を平面視コ字状且つ側面視Ｊ字状に折曲した支持枠材13で構成し、この支持枠材13の両端部を、前記ベルト取付部２の外枠部７の左右縦枠部の下部前側に溶接固定した構成としている。そして、この工具支持部４を構成する支持枠材13の左右の湾曲線材上にハンマーやラチェットレンチ等の工具３を着脱自在に吊下げ支持可能な構成としている。
【００３９】
尚、この工具支持部４の構成や、ベルト取付部２への取付構造等は、本実施例に限られるものではなく、適宜設計変更可能である。
【００４０】
次に、このように構成した本実施例の工具ホルダーの使用方法を説明する。
【００４１】
ベルト取付部２を作業者Ｓが装着している腰ベルト１に対し上方から掛止する。
【００４２】
具体的には、図２に示すように、ベルト取付部２のベルト挿入口10から腰ベルト１を挿入し、ベルト戻り止め部11を逃げるように腰ベルト１を撓ませつつベルト逃し間隙12からこの腰ベルト１を前記ベルト収容間隙９へと収容する（ベルト挿入口10に腰ベルト１を配した状態で工具ホルダーＡ（ベルト取付部２）を下方へ動かせば、ベルト戻り止め部11の動きに応じて腰ベルト１が自然と撓んで腰ベルト１がベルト収容間隙９に収容する）。続けて、前記掛枠部６を腰ベルト１上縁に掛止すれば、腰ベルト１にベルト取付部２（工具ホルダーＡ）が取付け（吊下げ）られる。
【００４３】
この工具ホルダーＡを腰ベルト１へ取付けた状態では、図７に示すように、何らかの要因により工具ホルダーＡ（ベルト取付部２）が腰ベルト１に対し図中矢印方向へ上動すると、腰ベルト１が前記ベルト挿入口10から挿脱しようとする方向へ移動（腰ベルト１がベルト取付部２外へ外れようとする方向へ戻り移動）するが、この際、前記ベルト戻り止め部11が腰ベルト１の下縁に下方から当接してベルト取付部２の上動が阻止（腰ベルト１が戻り止め）されるので、工具ホルダーＡが不意に腰ベルト１から脱落することがない。
【００４４】
このようにして腰ベルト１に取付けられた工具ホルダーＡの工具支持部４に、適宜な工具３を支持して携帯できる。
【００４５】
工具ホルダーＡを腰ベルト１から取り外す時は、腰ベルト１のベルト収容間隙９に収容されている部分を、ベルト戻り止め部11を逃げるように撓ませつつベルト取付部２（工具ホルダーＡ）を上動することで、腰ベルト１をベルト逃し間隙12からベルト挿入口10へと移動させてベルト取付部２外へと挿脱させる。
【００４６】
尚、本発明は、本実施例に限られるものではなく、各構成要件の具体的構成は適宜設計し得るものである。
【符号の説明】
【００４７】
１  腰ベルト
２  ベルト取付部
３  工具
４  工具支持部
５  枠部材
６  掛枠部
７  外枠部
８  内枠部
９  ベルト収容間隙
10  ベルト挿入口
11  折曲突出部・ベルト戻り止め部
12  ベルト逃し間隙
Ａ  工具ホルダー
Ｓ  作業者
【図１】
2016140941.tif 000003
【図２】
2016140941.tif 000004
【図３】
2016140941.tif 000005
【図４】
2016140941.tif 000006
【図５】
2016140941.tif 000007
【図６】
2016140941.tif 000008
【図７】
2016140941.tif 000009